(57)【特許請求の範囲】
【請求項１】
電動歯ブラシと前記電動歯ブラシのための充電システムとの組み合わせであって、
前記組み合わせは、凹状の上面部を持つ基部ユニットを有し、前記上面部の内面のまわりに充電コイルが巻き付けられ、前記基部ユニットは電源に接続可能であり、前記基部ユニットは更に前記基部ユニットの上端において外縁部を持ち、
前記組み合わせは更に、前記基部ユニットの前記凹状の上面部及び前記基部ユニットの上端の前記外縁部に嵌合するように構成された凸状の外側底面を持つすすぎ容器を有し、前記嵌合により前記凸状の外側底面が前記巻き付けられた充電コイルへと延在し、前記すすぎ容器は、垂直から０°乃至４５°の範囲内の角度で前記すすぎ容器内に歯ブラシを保持するように構成された凹状の内側底面を持つように成形され、前記容器は、前記歯ブラシが前記容器内に置かれたときに前記歯ブラシを傾いた角度で保持するように構成された側面を持ち、前記容器は更に、前記基部ユニット及び前記歯ブラシの柄部分に対して、前記歯ブラシの柄におけるピックアップコイルと前記基部ユニットにおける充電コイルとの間において電動歯ブラシの充電が起こるように構成された組み合わせ。
【請求項２】
前記すすぎ容器は、前記基部ユニットの上面の構成及び寸法に略合致する底面の構成及び寸法を持つ、請求項１に記載の組み合わせ。
【請求項３】
前記すすぎ容器はガラスでできている、請求項１に記載の組み合わせ。
【請求項４】
前記すすぎ容器はプラスチック材料でできている、請求項１に記載の組み合わせ。
【請求項５】
前記すすぎ容器は、前記歯ブラシが前記容器の前記凹状の内側底面に置かれたときに前記歯ブラシが垂直から２８°の角度となるような内部構成を持つ、請求項１に記載の組み合わせ。
【請求項６】
前記歯ブラシは、前記歯ブラシの下端に配置されたフェライト磁心を持ち、前記ピックアップコイルは、前記フェライト磁心を囲むボビン部材のまわりに巻き付けられた、請求項１に記載の組み合わせ。
【請求項７】
前記充電コイルと前記ピックアップコイルとの間の充電距離は２４ｍｍである、請求項１に記載の組み合わせ。
【請求項８】
前記容器は、前記充電システムの凹状面に隣接する下端において３ｍｍの厚さを持つ、請求項１に記載の組み合わせ。
【請求項９】
前記充電コイルの高さは９ｍｍである、請求項１に記載の組み合わせ。
【請求項１０】
前記ピックアップコイルは６０の巻数を持ち、前記充電コイルは４１±１０の巻数を持つ、請求項１に記載の組み合わせ。
【請求項１１】
前記充電システムは、使用時に反対の面に載置される前記外縁部から底部基部要素面まで下向きに延在する基部を持つ、請求項１に記載の組み合わせ。
【請求項１２】
前記充電コイルと前記ピックアップコイルとの間の充電距離は、１５乃至３５ｍｍの範囲内である、請求項１に記載の組み合わせ。
【発明の詳細な説明】
【技術分野】
【０００１】
本発明は、一般的には、電動歯ブラシのための充電システムに関し、更に詳細には、ユーザのためのすすぎグラスをも組み込んだ充電システムに関する。
【背景技術】
【０００２】
電動歯ブラシは、電動歯ブラシのなかの電池を充電するための電磁誘導型充電を用いる充電器ユニットと共に利用されることが多い。電磁誘導充電のために、壁コンセントに接続された充電器ユニットにおけるコイルが、電動歯ブラシの基部内のピックアップコイルに誘導的に結合される。その結果の２つのコイル間の磁束は、歯ブラシのなかの電池が該歯ブラシの基部におけるピックアップコイルに接続されていると、該電池が充電されることをもたらす。該充電器は、歯ブラシが使用されていない間は、該歯ブラシを保持し充電するように構成される。
【発明の概要】
【発明が解決しようとする課題】
【０００３】
斯かる充電構成を用いる場合、ユーザは一般に、歯ブラシの使用に続いて、別個のグラスを用いてブラシングされた歯をすすぐ。しかしながら、多くのユーザは、すすぐために別個のグラスを使うことは不便であると考えている。他方、手動の歯ブラシのユーザは、別個の充電ユニットの必要はないが、電動歯ブラシのユーザがするように歯ブラシの使用に続いてすすぐ必要がある。多くの場合、手動の歯ブラシのユーザは、歯ブラシを使っていないときに該歯ブラシを保持しておくためと、すすぐためとで、同じグラスを使う。
【０００４】
従って、電動歯ブラシのために保持機能及び充電機能とすすぎ機能とを単一のユニットに結合することが望ましい。しかしながら、充電器におけるそれぞれのコイルと柄との間の距離が、従来の充電構成の場合よりも大きくなるため、斯かる構成を用いた効率的な充電システムを提供するには困難がある。
【課題を解決するための手段】
【０００５】
従って、電動歯ブラシと前記電動歯ブラシのための充電システムとの組み合わせであって、前記組み合わせは、凹状の上面部を持つ基部ユニットを有し、前記上面部の内面のまわりに充電コイルが巻き付けられ、前記基部ユニットは電源に接続可能であり、前記基部ユニットは更に前記基部ユニットの上端において外縁部１７を持ち、前記組み合わせは更に、前記基部ユニットの前記凹状の上面部及び前記基部ユニットの上端の前記外縁部に嵌合するように構成された底面を持つすすぎ容器を有し、前記すすぎ容器は、垂直から０°乃至４５°の範囲内の角度で前記すすぎ容器内に歯ブラシを保持するように成形され構成され、前記容器は、前記歯ブラシが前記容器内に置かれたときに前記歯ブラシがひっくり返らないように構成された側面を持ち、前記容器は更に、前記基部ユニット及び前記歯ブラシの柄部分に対して、前記歯ブラシの柄におけるピックアップコイルと前記基部ユニットにおける充電コイルとの間において１５乃至３５ｍｍの範囲内の距離に亘って、電動歯ブラシの充電が起こるように構成された組み合わせが、ここで開示される。
【図面の簡単な説明】
【０００６】
【図１】充電ユニットと、関連するすすぎグラスと、該すすぎグラスに対して所望の向きで配置された歯ブラシの柄の一部との組み合わせの断面図である。
【図２】図１の充電器にフィットするグラスにおける歯ブラシの柄の適切な位置を示す断面図である。
【図３】充電システムグラス及び該充電システムグラスに配置された電動歯ブラシの上面図である。
【発明を実施するための形態】
【０００７】
電動歯ブラシを充電するのに適した充電システムとすすぎグラスとの組み合わせが、全体として１０により示される。該組み合わせは充電器部基部ユニット１２を含み、該ユニットは図示された実施例においては約３０ｍｍの高さを持つ。充電器部は、円形、正方形、楕円形等のような種々の断面構成を持ち得る。充電器１２の上面１４は、外端又は縁部１７を備えた凹状中央部１５を持つ。該上面は、縁部１７から下向きに平坦な外周部１９まで延在し、該外周部は約５ｍｍの幅を持つ。外周部１９から、充電器１２は平坦な基部要素２１まで下向きに延在する。充電器１２はＡＢＳ材料からできており、約２ｍｍの厚さを持つ。凹状中央部１５の内面２０のまわりには、充電コイル２２が巻き付けられている。図示された実施例においては、充電コイル２２は約４１±１０の巻数を持つ。該充電コイルの高さ２３は該充電システムにおける重要な寸法であり、図示された実施例においては約９ｍｍであるが、該高さは５乃至２５ｍｍの範囲内で或る程度変更されても良い。
【０００８】
充電システム１０の第２の部分は、容器２６である。容器２６はガラス又はプラスチックでできたものであっても良いが、一般的にガラスが好適である。容器２６は、本構成においては、電動歯ブラシ２７が使用されていないときの該電動歯ブラシ２７ための保持部として機能するとともに、ブラシングが完了したときのユーザのためのすすぎグラスとしても機能する。容器２６は、約８０ｍｍの高さを持ち、該容器の下部境界端２８から上端３０に向かって外向きに僅かに先細となっている。図示された実施例においては、容器２６は、図３に示されるように、断面が丸まった角を持つ略正方形であるが、円形のような他の構成が用いられても良い。下端の構成は、充電器１２の上面１４、とりわけ平坦な外周部１９と係合するようなものである。容器２６の基部又は下面２７は、図１及び２に示されるように凸状の中央部３２を持ち、該中央部３２は、該容器の凸部３２と下部境界端２８との間に配置された谷部３４により囲まれている。図示された実施例においては、凸部３２は約３ｍｍの厚さを持ち、充電を可能とするのに十分薄く、構造的な保全性及び強度を維持するのに十分厚いが、この値は或る程度変更されても良い。図示された実施例における下部境界端２８は約８０ｍｍの直径を持ち、端２８が正方形の構成を持つ場合には対向する端間は８０ｍｍの距離がある。谷部３４は充電器の外側端／縁部１７の上に嵌合するように構成され、そのためグラスが使用されていないときに該グラスは充電器の上にしっかりと保持され、電動歯ブラシがグラスのなかに置かれたときに該電動歯ブラシを信頼性高く支持する。
【０００９】
該充電システムの第３の部分は、電動歯ブラシ３８自体である。使用されていないときには、図に示されるように、該歯ブラシはグラス内に置かれる。図示された実施例においては典型的に、容器２６は、該歯ブラシの柄が２８°の角度で置かれるように構成される。該角度は、例えば０°乃至４５°に亘って変更されても良い。しかしながら、該構成は、該歯ブラシがグラスの上でひっくり返らずに載置されるような構成である必要がある。典型的には、１９２ｍｍの長さを持つ歯ブラシについては、該歯ブラシの長さのうち８３ｍｍが容器２６内となり、即ち該容器の上端３０よりも下となる。
【００１０】
該歯ブラシは一般的に、いずれの電動歯ブラシであっても良い。しかしながら、最良の結果を得るためには、該歯ブラシの柄４０の部分の下端（図１）が、磁束結合を改善するフェライト磁心４２を含む。図示された実施例においては、フェライト磁心４２は、柄の下端の中央部に嵌合し、約９．４ｍｍの外径と約８．０ｍｍの高さ４３を持つ。該磁心の両端は、典型的には面取りされている。該フェライト磁心は、該組み合わせのための充電機能を支援する。該磁心のボビン部４４において該柄の下端のまわりには、ピックアップコイル４６が巻かれている。図示された実施例においては、ボビン部４４は、約１２．４ｍｍのベース直径と、約１７．５ｍｍの外端径を持つ。斯かる巻き付けのための空間は約３．９ｍｍの幅である。図示された実施例におけるピックアップコイル４６は、約６０の巻数を持つ。
【００１１】
充電コイルの底端とピックアップコイルの上端との間の距離は、一般に充電距離とも呼ばれ、他の重要な寸法であるが、図示された実施例においては２４ｍｍであり、１５乃至３５ｍｍの範囲内である。この値は、１ｍｍほどである典型的な充電距離とは対照的である。該充電システムはまたコンデンサを含み、２つのコイルが充電効率を改善するように調整されることができる。図示された実施例においては、８０ｋＨｚにおいて最大の結合がある。
【００１２】
上述の構成は、電動歯ブラシのための信頼性高い充電システムを提供するとともに、同じ要素の組み合わせを用いたユーザのための便利なすすぎグラスをも提供する。歯ブラシが使われていないときには、該歯ブラシは従来の充電ユニット内に置かれるのではなく、該すすぎグラスに置かれる。
【００１３】
動作時には、ユーザは最初に、歯ブラシが完全に充電された状態で該歯ブラシをガラス容器２６から取り出す。ユーザは次いで、従来の態様で歯をブラシングし、該歯ブラシをすすいで、次いで充電器からグラスを取り外し、該グラスを使って口をすすぐ。次いで該グラスは綺麗な水ですすがれ、充電器の上に再び置かれ、そこで該歯ブラシは次の使用まで保管及び再充電のために該グラス内に置かれることができる。
【００１４】
説明の目的のため本発明の好適な実施例が示されたが、請求項により定義される本発明の精神から逸脱することなく、種々の変更、変形及び代替が該実施例に組み込まれ得ることは理解されるべきである。
【図１】
0005925214.tif 000002
【図２】
0005925214.tif 000003
【図３】
0005925214.tif 000004